(57)【要約】      （修正有）【課題】電動ポンプが大型化することを抑制できる構造を有する圧力センサ装置、およびそのような圧力センサ装置を備える電動ポンプを提供する。【解決手段】圧力センサ装置５０は、電動ポンプ内に配置されている。センサケース５１は、圧力センサ５３と、第１端子部８１と、第２端子部８２と、第３端子部と、第４端子部８４と、第１コンデンサ８５と、第２コンデンサ８６と、を収容する。第１端子部８１および第３端子部は第１方向Ｄ１に突出しており、第２端子部８２および第４端子部８４は第２方向Ｄ２に突出している。【選択図】図４
2018017588.tif 000002
【特許請求の範囲】
【請求項１】
電動ポンプ用の圧力センサ装置であって、
前記電動ポンプ内部の流体の圧力を計測する圧力センサと、
前記圧力センサから水平方向一方側に延びる第１方向に突出した第１端子部と、
前記圧力センサから水平方向他方側に延びる第２方向に突出した第２端子部と、
前記圧力センサを収容するセンサケースと、
前記第１端子部と電気的に接続された第１リード線と、
前記第２端子部と電気的に接続された第２リード線と、
を備え、
前記センサケースは、
前記圧力センサを収容するセンサ収容部と、
前記センサ収容部から前記第１方向に延び、前記第１端子部を収容する第１端子収容部と、
前記センサ収容部から前記第２方向に延び、前記第２端子部を収容する第２端子収容部と、
を有し、
前記第１端子収容部は、上側に開口する第１上側開口部と、下側に開口する第１下側開口部と、を有し、
前記第２端子収容部は、上側に開口する第２上側開口部と、下側に開口する第２下側開口部と、を有し、
前記第１端子部は、前記第１上側開口部を介して上面が前記第１端子収容部の外部に露出するとともに、前記第１下側開口部を介して下面が前記第１端子収容部の外部に露出する第１露出部を有し、
前記第２端子部は、前記第２上側開口部を介して上面が前記第２端子収容部の外部に露出するとともに、前記第２下側開口部を介して下面が前記第２端子収容部の外部に露出する第２露出部を有し、
前記第１露出部は、前記第１リード線が接合された第１リード線接合部を有し、
前記第２露出部は、前記第２リード線が接合された第２リード線接合部を有する、圧力センサ装置。
【請求項２】
前記圧力センサから前記第１方向に突出した第３端子部と、
前記圧力センサの前記水平方向一方側に配置され、前記第１端子部と前記第３端子部との間に接続された第１コンデンサと、
前記第３端子部と電気的に接続された第３リード線と、
をさらに備え、
前記第１端子収容部は、前記第３端子部を収容し、
前記第３端子部は、前記第１上側開口部を介して上面が前記第１端子収容部の外部に露出するとともに、前記第１下側開口部を介して下面が前記第１端子収容部の外部に露出する第３露出部を有し、
前記第１露出部は、前記第１コンデンサが接合された第１コンデンサ接合部を有し、
前記第３露出部は、前記第３リード線が接合された第３リード線接合部と、前記第１コンデンサが接合された第３コンデンサ接合部と、を有し、
前記第１コンデンサ接合部は、前記第１方向において前記第１リード線接合部と異なる位置に配置され、
前記第３コンデンサ接合部は、前記第１方向において前記第３リード線接合部と異なる位置に配置されている、請求項１に記載の圧力センサ装置。
【請求項３】
前記圧力センサから前記第２方向に突出し、前記第３端子部と電気的に接続された第４端子部と、
前記圧力センサの前記水平方向他方側に配置され、前記第２端子部と前記第４端子部との間に接続された第２コンデンサと、
をさらに備え、
前記第２端子収容部は、前記第４端子部を収容し、
前記第４端子部は、前記第２上側開口部を介して上面が前記第２端子収容部の外部に露出するとともに、前記第２下側開口部を介して下面が前記第２端子収容部の外部に露出する第４露出部を有し、
前記第２露出部は、前記第２コンデンサが接合された第２コンデンサ接合部を有し、
前記第４露出部は、前記第２コンデンサが接合された第４コンデンサ接合部を有し、
前記第２コンデンサ接合部は、前記第２方向において前記第２リード線接合部と異なる位置に配置されている、請求項２に記載の圧力センサ装置。
【請求項４】
前記第１リード線接合部は、前記第１露出部の上面と前記第１露出部の下面とのうちの一方に設けられ、
前記第１コンデンサ接合部は、前記第１露出部の上面と前記第１露出部の下面とのうちの他方に設けられている、請求項２または３に記載の圧力センサ装置。
【請求項５】
前記第１リード線接合部は、前記第１コンデンサ接合部よりも前記第１方向の前記圧力センサ側に配置されている、請求項４に記載の圧力センサ装置。
【請求項６】
前記センサケースの下面は、前記電動ポンプの設置部と接触する設置面を有し、
前記第１リード線接合部は、前記第１露出部の上面に設けられ、
前記第１コンデンサ接合部は、前記第１露出部の下面に設けられている、請求項４または５に記載の圧力センサ装置。
【請求項７】
前記第１下側開口部の下端から前記第１露出部の下面までの上下方向の距離は、前記第１上側開口部の上端から前記第１露出部の上面までの上下方向の距離よりも大きい、請求項４から６のいずれか一項に記載の圧力センサ装置。
【請求項８】
前記第１露出部の上面および前記第３露出部の上面は、１つの前記第１上側開口部を介して露出し、
前記第１露出部の下面および前記第３露出部の下面は、１つの前記第１下側開口部を介して露出している、請求項２から７のいずれか一項に記載の圧力センサ装置。
【請求項９】
前記第１端子収容部は、前記第１コンデンサを保持する第１コンデンサ保持部を有する、請求項２から８のいずれか一項に記載の圧力センサ装置。
【請求項１０】
前記第１リード線は、
第１リード線本体と、
前記リード線本体の先端部に固定され、前記第１リード線接合部に接合された前記第１方向に延びる第１接続金具と、
を有し、
前記第１接続金具は、前記第１方向の前記圧力センサ側に突出する第１凸部を有し、
前記センサケースは、前記第１方向の前記圧力センサ側に窪み、前記第１凸部が挿入される第１凹部を有する、請求項１から９のいずれか一項に記載の圧力センサ装置。
【請求項１１】
前記第１方向と前記第２方向との成す角は、鈍角である、請求項１から１０のいずれか一項に記載の圧力センサ装置。
【請求項１２】
中心軸を中心として回転するシャフトと、
前記シャフトを回転させるモータ部と、
前記シャフトに接続され、前記モータ部によって回転される前記シャフトを介して駆動されるポンプ部と、
を備える電動ポンプであって、
請求項１から１１のいずれか一項に記載の圧力センサ装置をさらに備え、
前記第１端子部は、前記圧力センサの周方向一方側に配置され、
前記第２端子部は、前記圧力センサの周方向他方側に配置され、
前記圧力センサ装置は、前記電動ポンプ内に配置されている、電動ポンプ。
【発明の詳細な説明】
【技術分野】
【０００１】
本発明は、圧力センサ装置、および電動ポンプに関する。
【背景技術】
【０００２】
流体の圧力を計測する圧力センサが知られている。例えば、特許文献１には、流体配管に取り付けられる圧力センサが記載されている。
【先行技術文献】
【特許文献】
【０００３】
【特許文献１】特開２００４−２４５５９９号公報
【発明の概要】
【発明が解決しようとする課題】
【０００４】
ところで、電動ポンプ内部の流体の圧力を圧力センサによって計測する場合、電動ポンプ内に圧力センサを配置する構成が考えられる。しかし、上記の特許文献１に示すような圧力センサを単に電動ポンプ内に配置するだけでは、電動ポンプが大型化する問題があった。
【０００５】
本発明は、上記問題点に鑑みて、電動ポンプ用の圧力センサ装置であって、電動ポンプが大型化することを抑制できる構造を有する圧力センサ装置、およびそのような圧力センサ装置を備える電動ポンプを提供することを目的の一つとする。
【課題を解決するための手段】
【０００６】
本発明の圧力センサ装置の一つの態様は、電動ポンプ用の圧力センサ装置であって、前記電動ポンプ内部の流体の圧力を計測する圧力センサと、前記圧力センサから水平方向一方側に延びる第１方向に突出した第１端子部と、前記圧力センサから水平方向他方側に延びる第２方向に突出した第２端子部と、前記圧力センサを収容するセンサケースと、前記第１端子部と電気的に接続された第１リード線と、前記第２端子部と電気的に接続された第２リード線と、を備え、前記センサケースは、前記圧力センサを収容するセンサ収容部と、前記センサ収容部から前記第１方向に延び、前記第１端子部を収容する第１端子収容部と、前記センサ収容部から前記第２方向に延び、前記第２端子部を収容する第２端子収容部と、を有し、前記第１端子収容部は、上側に開口する第１上側開口部と、下側に開口する第１下側開口部と、を有し、前記第２端子収容部は、上側に開口する第２上側開口部と、下側に開口する第２下側開口部と、を有し、前記第１端子部は、前記第１上側開口部を介して上面が前記第１端子収容部の外部に露出するとともに、前記第１下側開口部を介して下面が前記第１端子収容部の外部に露出する第１露出部を有し、前記第２端子部は、前記第２上側開口部を介して上面が前記第２端子収容部の外部に露出するとともに、前記第２下側開口部を介して下面が前記第２端子収容部の外部に露出する第２露出部を有し、前記第１露出部は、前記第１リード線が接合された第１リード線接合部を有し、前記第２露出部は、前記第２リード線が接合された第２リード線接合部を有する。
【０００７】
本発明の電動ポンプの一つの態様は、中心軸を中心として回転するシャフトと、前記シャフトを回転させるモータ部と、前記シャフトに接続され、前記モータ部によって回転される前記シャフトを介して駆動されるポンプ部と、を備える電動ポンプであって、上記圧力センサ装置をさらに備え、前記第１端子部は、前記圧力センサの周方向一方側に配置され、前記第２端子部は、前記圧力センサの周方向他方側に配置され、前記圧力センサ装置は、前記電動ポンプ内に配置されている。
【発明の効果】
【０００８】
本発明の一つの態様によれば、電動ポンプ用の圧力センサ装置であって、電動ポンプが大型化することを抑制できる構造を有する圧力センサ装置、およびそのような圧力センサ装置を備える電動ポンプが提供される。
【図面の簡単な説明】
【０００９】
【図１】図１は、本実施形態の電動ポンプを示す断面図である。
【図２】図２は、本実施形態の圧力センサ装置とポンプボディとを示す分解斜視図である。
【図３】図３は、本実施形態の圧力センサ装置とポンプボディとを示す斜視図である。
【図４】図４は、本実施形態の圧力センサ装置を示す斜視図である。
【図５】図５は、本実施形態の圧力センサ装置を示す平面図である。
【図６】図６は、本実施形態の圧力センサ装置を示す分解斜視図である。
【図７】図７は、本実施形態の圧力センサ装置を示す断面図であり、図１における部分拡大図である。
【図８】図８は、本実施形態の圧力センサ装置を示す上側から視た断面図である。
【図９】図９は、本実施形態の圧力センサ装置を示す斜視図である。
【図１０】図１０は、本実施形態の圧力センサ装置を示す底面図である。
【図１１】図１１は、本実施形態の圧力センサ装置の部分を示す図であって、図５におけるXI−XI断面図である。
【図１２】図１２は、本実施形態の圧力センサ装置における第１リード線および第１コンデンサの接合方法の手順を示す断面図である。
【図１３】図１３は、本実施形態の圧力センサ装置における第１リード線および第１コンデンサの接合方法の手順を示す断面図である。
【発明を実施するための形態】
【００１０】
本実施形態の電動ポンプ１０は、流体としてオイルを加圧して送る電動オイルポンプである。図１に示すように、電動ポンプ１０は、電動ポンプ１０の各部を収容して保持するケース１１と、中心軸Ｊ１を中心として回転するシャフト２１と、シャフト２１を回転させるモータ部２０と、モータ部２０によって回転されるシャフト２１を介して駆動されるポンプ部３０と、バスバーユニット１００と、回路基板１１０と、圧力センサ装置５０と、を備える。図１においては、圧力センサ装置５０を模式的に示している。
【００１１】
中心軸Ｊ１は、上下方向に延びている。以下の説明においては、特に断りのない限り、中心軸Ｊ１の軸方向と平行な方向を単に「上下方向」と呼び、中心軸Ｊ１を中心とする径方向を単に「径方向」と呼び、中心軸Ｊ１を中心とする周方向を単に「周方向」と呼ぶ。各図においては、適宜上下方向と平行な方向に延びるＺ軸を示し、Ｚ軸の正の側を「上側」と呼び、Ｚ軸の負の側を「下側」と呼ぶ。なお、上下方向、上側および下側とは、単に説明のために用いられる名称であって、実際の位置関係や方向を限定しない。
【００１２】
モータ部２０は、ロータ２３と、ステータ２２と、を有する。ロータ２３は、シャフト２１の外周面に固定されている。ステータ２２は、ロータ２３の径方向外側に配置され、ロータ２３を囲んでいる。ステータ２２は、ステータコア２６と、ステータコア２６に装着されたインシュレータ２４と、インシュレータ２４を介してステータコア２６に装着された複数のコイル２５と、を有する。
【００１３】
ポンプ部３０は、シャフト２１に接続されている。本実施形態においてポンプ部３０は、モータ部２０の上下方向一方側に位置する。図１では、ポンプ部３０は、モータ部２０の下側に位置する。ポンプ部３０は、ポンプボディ３１と、ポンプギア３２と、ポンプカバー３６と、を有する。ポンプボディ３１は、モータ部２０の下側において、モータ部２０と軸方向に隙間を介して対向して配置されている。ポンプボディ３１は、下側の面から上側に窪みポンプギア３２を収容するポンプ室３５を有する。図示は省略するが、ポンプ室３５の上下方向に視た形状は、円形状である。ポンプボディ３１は、貫通孔３１ａを有する。貫通孔３１ａは、上下方向両端に開口し、下側の開口がポンプ室３５に開口している。貫通孔３１ａには、シャフト２１が通されている。
【００１４】
ポンプボディ３１は、上側の面から下側に窪むセンサ収容凹部３７を有する。センサ収容凹部３７は、貫通孔３１ａよりも径方向外側に配置されている。図２に示すように、センサ収容凹部３７は、周方向に延びる円弧状である。センサ収容凹部３７の底面には、下側に窪む２つの雌ネジ穴３７ａが設けられている。なお、センサ収容凹部３７は、周方向の１周に亘って延びる円環状であってもよい。図２および図３においては、ポンプボディ３１を簡略化して示している。
【００１５】
図１に示すように、ポンプボディ３１は、中央にシール保持部３８を有する。シール保持部３８は、上側に開口する筒状である。シール保持部３８は、センサ収容凹部３７の径方向内側に配置されている。シール保持部３８の内部にはオイルシール４０が保持されている。シール保持部３８の内部は、貫通孔３１ａと連通している。シール保持部３８の内部には、シャフト２１が通されている。
【００１６】
ポンプギア３２は、シャフト２１の回転に伴い回転する。本実施形態においてポンプギア３２は、シャフト２１の下端部に取り付けられている。ポンプギア３２は、シャフト２１の下端部における外周面に固定されたインナーロータ３３と、インナーロータ３３の径方向外側を囲むアウターロータ３４と、を有する。なお、インナーロータ３３とシャフト２１とは、中心軸Ｊ１周りの相対的な回動が、ある程度許容された状態であってもよい。ポンプカバー３６は、ポンプボディ３１の下側に取り付けられている。ポンプカバー３６は、径方向に拡がる蓋状である。ポンプカバー３６は、ポンプ室３５の下側の開口を閉塞する。
【００１７】
ポンプ部３０は、導入油路９１と、吐出油路９２と、検出油路９３と、を有する。図１では、導入油路９１は、ポンプカバー３６に設けられている。導入油路９１は、ポンプ室３５と繋がり、ポンプ室３５にオイルを導入する油路である。図１では、吐出油路９２は、ポンプボディ３１に設けられている。吐出油路９２は、ポンプ室３５と繋がり、ポンプ室３５からオイルを吐出する油路である。検出油路９３は、ポンプボディ３１に設けられ吐出油路９２とセンサ収容凹部３７とを繋ぐ油路である。図１では、検出油路９３は、吐出油路９２から上方斜め径方向外側に向かって延びている。図２に示すように、検出油路９３の上端は、センサ収容凹部３７の底面に開口している。センサ収容凹部３７の底面において検出油路９３が開口する位置は、例えば、周方向において、２つの雌ネジ穴３７ａ同士の間の中心である。
【００１８】
図１に示すように、バスバーユニット１００は、モータ部２０の上側に配置されている。バスバーユニット１００は、ステータ２２と電気的に接続されたバスバーと、回路基板１１０と電気的に接続されたバスバーと、各バスバーを保持する筒状のバスバーホルダ１０１と、を有する。回路基板１１０は、バスバーホルダ１０１の径方向内側においてバスバーホルダ１０１に保持されている。図示は省略するが、回路基板１１０には、圧力センサ装置５０が電気的に接続されている。
【００１９】
圧力センサ装置５０は、電動ポンプ１０用の圧力センサ装置であり、電動ポンプ１０内に配置されている。図１および図３に示すように、圧力センサ装置５０は、センサ収容凹部３７内に収容されてポンプボディ３１に固定されている。圧力センサ装置５０の固定方法は、特に限定されない。図３では、圧力センサ装置５０は、図２に示す雌ネジ穴３７ａのそれぞれに締め込まれた２つのネジ７０によってポンプボディ３１に固定されている。
【００２０】
図４から図６に示すように、圧力センサ装置５０は、上下方向の寸法が比較的小さい扁平状である。圧力センサ装置５０は、圧力センサ５３と、センサケース５１と、第１端子部８１と、第２端子部８２と、第３端子部８３と、第４端子部８４と、第１リード線６１と、第２リード線６２と、第３リード線６３と、第１コンデンサ８５と、第２コンデンサ８６と、を有する。センサケース５１は、圧力センサ５３と、第１端子部８１と、第２端子部８２と、第３端子部８３と、第４端子部８４と、第１コンデンサ８５と、第２コンデンサ８６と、を収容する。
【００２１】
圧力センサ５３は、電動ポンプ１０内部の流体、すなわち本実施形態ではオイルの圧力を計測する。圧力センサ５３は、中心をセンサ中心軸Ｊ２が通る扁平円柱状である。センサ中心軸Ｊ２は、中心軸Ｊ１と平行で上下方向に延びている。図２および図３に示すように、センサ中心軸Ｊ２は、中心軸Ｊ１から径方向に離れて配置されている。センサ中心軸Ｊ２は、センサ収容凹部３７の径方向の中心に位置する。図７に示すように、圧力センサ５３は、センサケース５１の後述するセンサ収容部５１ａに、部分的に埋め込まれて保持されている。
【００２２】
図６に示すように、圧力センサ５３は、端子支持部５６と、センサチップ５５と、上側カバー５７と、下側カバー５８と、を有する。端子支持部５６は、中心をセンサ中心軸Ｊ２が通る円環状である。端子支持部５６は、端子支持部５６の中央を上下方向に貫通する支持部貫通孔５６ａを有する。支持部貫通孔５６ａの上側から視た形状は、略正方形状である。端子支持部５６は、第１端子部８１と、第２端子部８２と、第３端子部８３と、第４端子部８４と、を支持している。図７に示すように、端子支持部５６は、センサケース５１の後述するセンサ収容部５１ａに埋め込まれている。
【００２３】
図６に示すように、センサチップ５５は、正方形板状のセンサチップ本体５５ａと、センサチップ本体５５ａの上面に電気的に接続された３つのチップ端子５５ｂと、を有する。図７に示すように、センサチップ本体５５ａは、支持部貫通孔５６ａの内側に配置されている。センサチップ本体５５ａは、下側カバー５８の上面に配置されている。図７では、センサチップ本体５５ａは、後述する検出孔５８ａの上端開口を閉塞している。図８に示すように、３つのチップ端子５５ｂは、第１端子部８１と、第２端子部８２と、第３端子部８３および第４端子部８４と、のそれぞれに電気的に接続されている。なお、アルミニウム等の材料をワイヤボンディングすることでチップ端子とすることもでき、センサチップ５５の各電極と、各端子部８１〜８４と、の間を電気的に接続することができる。
【００２４】
図７に示すように、上側カバー５７は、センサチップ５５の上側に配置されている。上側カバー５７は、センサチップ５５の上側を覆っている。図６に示すように、上側カバー５７は、中心をセンサ中心軸Ｊ２が通る円板状である。図７に示すように、上側カバー５７は、下面中央から上側に窪む上側凹部５７ａを有する。上側カバー５７の下面における外周縁部は、端子支持部５６の上面と接触している。
【００２５】
下側カバー５８は、センサチップ５５の下側に配置されている。図６に示すように、下側カバー５８は、中心をセンサ中心軸Ｊ２が通る円板状である。図７に示すように、下側カバー５８は、下側カバー５８を上下方向に貫通する検出孔５８ａと、下面中央から上側に窪む下側凹部５８ｂと、を有する。検出孔５８ａの下端は、下側凹部５８ｂ内に開口している。検出孔５８ａの上端は、上述したようにセンサチップ本体５５ａによって閉塞されている。図６に示すように、検出孔５８ａの平面視形状は、中心をセンサ中心軸Ｊ２が通る円形状である。図９に示すように、下側凹部５８ｂの下側から視た形状は、中心をセンサ中心軸Ｊ２が通る円形状である。
【００２６】
図７に示すように、圧力センサ装置５０がセンサ収容凹部３７内に固定された状態において、下側カバー５８の下面のうち下側凹部５８ｂの外周縁部は、センサ収容凹部３７の底面と接触する。下側凹部５８ｂの内側には、Ｏリング７１が配置されている。Ｏリング７１は、下側凹部５８ｂの内周縁に沿った円環状である。Ｏリング７１は、センサ収容凹部３７の底面と下側凹部５８ｂの天面とに接触して、下側カバー５８とポンプボディ３１との間をシールしている。下側凹部５８ｂの内部には、検出油路９３の上端が開口している。
【００２７】
図６に示すように、第１端子部８１から第４端子部８４は、上下方向と直交する平板状である。第１端子部８１から第４端子部８４における、センサ中心軸Ｊ２を中心とした径方向内側の端部は、圧力センサ５３の内部に埋め込まれて固定されている。図５および図８に示すように、第１端子部８１および第３端子部８３は、圧力センサ５３から水平方向一方側に延びる第１方向Ｄ１に突出している。第２端子部８２および第４端子部８４は、水平方向他方側に延びる第２方向Ｄ２に突出している。より詳細には、図６に示すように、第１端子部８１および第３端子部８３は、端子支持部５６から第１方向Ｄ１に突出している。第２端子部８２および第４端子部８４は、端子支持部５６から第２方向Ｄ２に突出している。
【００２８】
図５に示すように、第１端子部８１と第３端子部８３とは、第１方向Ｄ１および上下方向の両方と直交する第３方向Ｄ３に並んで配置されている。第２端子部８２と第４端子部８４とは、第２方向Ｄ２および上下方向の両方と直交する第４方向Ｄ４に並んで配置されている。第１端子部８１と第２端子部８２と第３端子部８３と第４端子部８４とは、板面が上下方向と直交する水平面と平行であり、上下方向と直交する同一水平面上に配置されている。
【００２９】
ここで、本実施形態において水平方向とは、例えば、図５に示す平面視において中心軸Ｊ１とセンサ中心軸Ｊ２とを繋ぐ仮想線Ｃ１と直交する水平方向ＨＤ、すなわち図５における左右方向である。本実施形態において、水平方向一方側とは、水平方向ＨＤの正の側（＋ＨＤ側）、すなわち図５における左側であり、水平方向他方側とは、水平方向ＨＤの負の側（−ＨＤ側）、すなわち図５における右側である。
【００３０】
また、本実施形態において、水平方向一方側に延びる第１方向Ｄ１とは、上下方向と直交する複数の水平方向のうちの一つであり、かつ、圧力センサ５３の中心であるセンサ中心軸Ｊ２から仮想線Ｃ１の右側（＋ＨＤ側）の領域に延びる方向のうちの一つである。図５では、第１方向Ｄ１は、センサ中心軸Ｊ２から、仮想線Ｃ１と直交する水平方向ＨＤに対して中心軸Ｊ１側（図５の下側）に傾いて左側に延びている。第１方向Ｄ１は、センサ中心軸Ｊ２を中心とする径方向のうちの一つである。
【００３１】
また、本実施形態において、水平方向他方側に延びる第２方向Ｄ２とは、上下方向と直交する複数の水平方向のうちの一つであり、かつ、圧力センサ５３の中心であるセンサ中心軸Ｊ２から仮想線Ｃ１の右側（−ＨＤ側）の領域に延びる方向のうちの一つである。図５では、第２方向Ｄ２は、センサ中心軸Ｊ２から、仮想線Ｃ１と直交する水平方向ＨＤに対して中心軸Ｊ１側（図５の下側）に傾いて右側に延びている。第２方向Ｄ２は、センサ中心軸Ｊ２を中心とする径方向のうちの一つである。第１方向Ｄ１と第２方向Ｄ２との成す角θは、鈍角である。
【００３２】
なお、以下の説明において、第１方向Ｄ１のうち、ある対象を基準としてセンサ中心軸Ｊ２に近づく側を「第１方向内側」と呼び、ある対象を基準としてセンサ中心軸Ｊ２から遠ざかる側を「第１方向外側」と呼ぶ。また、第２方向Ｄ２のうち、ある対象を基準としてセンサ中心軸Ｊ２に近づく側を「第２方向内側」と呼び、ある対象を基準としてセンサ中心軸Ｊ２から遠ざかる側を「第２方向外側」と呼ぶ。
【００３３】
図８に示すように、第１端子部８１における第１方向内側の部分である第１被支持部８１ａは、ほぼ全体が端子支持部５６に埋め込まれて、端子支持部５６に支持されている。第１被支持部８１ａは、センサ中心軸Ｊ２を中心とする周方向に延びている。第１被支持部８１ａの上面のうち、センサ中心軸Ｊ２を中心とする径方向の内縁部は、端子支持部５６から露出している。第１被支持部８１ａの上面における露出した部分には、チップ端子５５ｂのうちの１つが電気的に接続されている。
【００３４】
第２端子部８２における第２方向内側の端部である第２被支持部８２ａは、ほぼ全体が端子支持部５６に埋め込まれて、端子支持部５６に支持されている。第２被支持部８２ａの上面のうち、センサ中心軸Ｊ２を中心とする径方向の内縁部は、端子支持部５６から露出している。第２被支持部８２ａの上面における露出した部分には、チップ端子５５ｂのうち、第１被支持部８１ａに接続されたチップ端子５５ｂとは異なるチップ端子５５ｂの１つが接続されている。
【００３５】
第３端子部８３における第１方向内側の端部である第３被支持部８３ａは、ほぼ全体が端子支持部５６に埋め込まれて、端子支持部５６に支持されている。第３被支持部８３ａの上面のうち、センサ中心軸Ｊ２を中心とする径方向の内縁部は、端子支持部５６から露出している。第３被支持部８３ａの上面における露出した部分には、チップ端子５５ｂのうち、第１被支持部８１ａに接続されたチップ端子５５ｂおよび第２被支持部８２ａに接続されたチップ端子５５ｂとは異なる残りの１つのチップ端子５５ｂが接続されている。
【００３６】
第４端子部８４における第２方向内側の端部である第４被支持部８４ａは、ほぼ全体が端子支持部５６に埋め込まれて、端子支持部５６に支持されている。第４被支持部８４ａの上面のうち、センサ中心軸Ｊ２を中心とする径方向の内縁部は、端子支持部５６から露出している。第４端子部８４は、第３端子部８３と電気的に接続されている。より詳細には、第３被支持部８３ａと第４被支持部８４ａとが連結部８７を介して接続されることで、第３端子部８３と第４端子部８４とは、電気的に接続されている。第４端子部８４は、第３端子部８３と電気的に接続されることで、第３端子部８３に接続されたチップ端子５５ｂと電気的に接続されている。
【００３７】
連結部８７は、センサ中心軸Ｊ２を中心とする周方向に延びている。本実施形態において第３端子部８３と第４端子部８４と連結部８７とは、単一の部材として構成されている。第１端子部８１と、第２端子部８２と、第３端子部８３および第４端子部８４とは、互いに離れて絶縁された状態で配置されている。
【００３８】
図５に示すように、第１端子部８１および第３端子部８３は、圧力センサ５３の周方向一方側に配置されている。第２端子部８２および第４端子部８４は、圧力センサ５３の周方向他方側に配置されている。本実施形態において圧力センサ５３の周方向一方側とは、上側から視て、圧力センサ５３から中心軸Ｊ１を中心として反時計回りに進む側である。圧力センサ５３の周方向他方側とは、上側から視て、圧力センサ５３から中心軸Ｊ１を中心として時計回りに進む側である。
【００３９】
図４に示すように、第１リード線６１は、第１端子部８１と電気的に接続されている。第１リード線６１は、第１リード線本体６１ａと、第１接続金具６１ｂと、を有する。第１接続金具６１ｂは、第１リード線本体６１ａの先端部に固定されている。第１接続金具６１ｂは、第１方向Ｄ１に延び、上下方向と直交する板状である。第１接続金具６１ｂは、第１端子部８１の上面に固定されている。より詳細には、第１接続金具６１ｂは、後述する第１リード線接合部８１ｄに接合されている。第１接続金具６１ｂは、第１方向Ｄ１の圧力センサ５３側、すなわち第１方向内側に突出する第１凸部６１ｃを有する。第１リード線本体６１ａは、第１接続金具６１ｂを介して第１端子部８１と電気的に接続されている。
【００４０】
第２リード線６２は、第２端子部８２と電気的に接続されている。第２リード線６２は、第２リード線本体６２ａと、第２接続金具６２ｂと、を有する。第２接続金具６２ｂは、第２リード線本体６２ａの先端部に固定されている。第２接続金具６２ｂは、第２方向Ｄ２に延び、上下方向と直交する板状である。第２接続金具６２ｂは、第２端子部８２の上面に固定されている。より詳細には、第２接続金具６２ｂは、後述する第２リード線接合部８２ｄに接合されている。第２接続金具６２ｂは、第２方向Ｄ２の圧力センサ５３側、すなわち第２方向内側に突出する第２凸部６２ｃを有する。第２リード線本体６２ａは、第２接続金具６２ｂを介して第２端子部８２と電気的に接続されている。
【００４１】
第３リード線６３は、第３端子部８３と電気的に接続されている。第３リード線６３は、第３リード線本体６３ａと、第３接続金具６３ｂと、を有する。第３接続金具６３ｂは、第３リード線本体６３ａの先端部に固定されている。第３接続金具６３ｂは、第１方向Ｄ１に延び、上下方向と直交する板状である。第３接続金具６３ｂは、第３端子部８３の上面に固定されている。より詳細には、第３接続金具６３ｂは、後述する第３リード線接合部８３ｄに接合されている。第３接続金具６３ｂは、第１方向Ｄ１の圧力センサ５３側、すなわち第１方向内側に突出する第３凸部６３ｃを有する。第３リード線本体６３ａは、第３接続金具６３ｂを介して第３端子部８３と電気的に接続されている。
【００４２】
各リード線は、圧力センサ装置５０に電源を供給する電源用リード線と、圧力センサ装置５０の接地を取るための接地用リード線と、圧力センサ装置５０が計測した圧力の値を電気信号として出力するための出力用リード線と、のうちのいずれかである。一例として、第１リード線６１は、電源用リード線である。第２リード線６２は、出力用リード線である。第３リード線６３は、接地用リード線である。
【００４３】
上述したように本実施形態によれば、第１端子部８１および第２端子部８２が圧力センサ５３から水平方向のうちの一つである第１方向Ｄ１および第２方向Ｄ２に延びている。そのため、圧力センサ装置５０を上下方向に小さくできる。また、第１端子部８１と第２端子部８２とは、圧力センサ５３から互いに水平方向の逆側に進む第１方向Ｄ１および第２方向Ｄ２に突出する。そのため、第１端子部８１および第２端子部８２を同じ方向に突出させて配置する場合に比べて、圧力センサ装置５０を上下方向および径方向に小さくできる。したがって、本実施形態によれば、圧力センサ装置５０を上下方向および径方向の両方に小さくすることができ、全体として扁平状で細長の形状とできる。そのため、圧力センサ装置５０を電動ポンプ１０における中心軸Ｊ１の周方向に沿って配置することで、圧力センサ装置５０を電動ポンプ１０内に配置した際に、電動ポンプ１０が大型化することを抑制できる。
【００４４】
具体的には、本実施形態のように、圧力センサ５３の周方向一方側に第１端子部８１を配置し、圧力センサ５３の周方向他方側に第２端子部８２を配置することで、圧力センサ装置５０を周方向に沿って配置することができる。これにより、電動ポンプ１０が大型化することを抑制しつつ、圧力センサ装置５０を電動ポンプ１０内に配置できる。特に本実施形態のように、第１方向Ｄ１と第２方向Ｄ２との成す角θが、鈍角である場合には、圧力センサ装置５０全体の形状を周方向に沿った形状に近づけやすく、周方向に延びるセンサ収容凹部３７内に圧力センサ装置５０を配置しやすい。これにより、電動ポンプ１０が大型化することをより抑制できる。
【００４５】
本実施形態においては、上述したように第１端子部８１および第２端子部８２に加えて、第３端子部８３および第４端子部８４が設けられている。そして、第１端子部８１および第３端子部８３は第１方向Ｄ１に突出しており、第２端子部８２および第４端子部８４は第２方向Ｄ２に突出している。そのため、端子部が４つ設けられる場合であっても、圧力センサ装置５０を上下方向および径方向の両方に小さくすることができ、電動ポンプ１０が大型化することを抑制できる。
【００４６】
第１コンデンサ８５は、圧力センサ５３の水平方向一方側（＋ＨＤ側）に配置され、第１端子部８１と第３端子部８３との間に接続されている。第２コンデンサ８６は、圧力センサ５３の水平方向他方側（−ＨＤ側）に配置され、第２端子部８２と第４端子部８４との間に接続されている。このように、４つの端子部を２つずつ第１方向Ｄ１および第２方向Ｄ２に突出させたことで、第１コンデンサ８５と第２コンデンサ８６とを互いに圧力センサ５３に対して水平方向の逆側に配置できる。そのため、第１コンデンサ８５と第２コンデンサ８６とを圧力センサ５３の同じ側に配置する場合に比べて、圧力センサ装置５０を上下方向および径方向に小さくできる。また、第１コンデンサ８５および第２コンデンサ８６によって、サージ電流が生じることを抑制できる。
【００４７】
図６に示すように、第１コンデンサ８５は、第１コンデンサ本体８５ａと、２つの第１接続端子８５ｂと、を有する。第１コンデンサ本体８５ａは、第１端子部８１と第３端子部８３との第１方向Ｄ１の延長線上に配置されている。２つの第１接続端子８５ｂは、第１コンデンサ本体８５ａから第１方向内側に延びている。２つの第１接続端子８５ｂは、第３方向Ｄ３に沿って並んで配置されている。
【００４８】
第２コンデンサ８６は、第２コンデンサ本体８６ａと、２つの第２接続端子８６ｂと、を有する。第２コンデンサ本体８６ａは、第２端子部８２と第４端子部８４との第２方向Ｄ２の延長線上に配置されている。２つの第２接続端子８６ｂは、第２コンデンサ本体８６ａから第２方向内側に延びている。２つの第２接続端子８６ｂは、第４方向Ｄ４に沿って並んで配置されている。
【００４９】
図１０に示すように、２つの第１接続端子８５ｂのうち一方は、第１端子部８１の下面における第１方向外側の端部に接続されている。２つの第１接続端子８５ｂのうち他方は、第３端子部８３の下面における第１方向外側の端部に接続されている。これにより、第１端子部８１と第３端子部８３との間に第１コンデンサ８５が接続される。
【００５０】
２つの第２接続端子８６ｂのうち一方は、第２端子部８２の下面における第２方向外側の端部に接続されている。２つの第２接続端子８６ｂのうち他方は、第４端子部８４の下面における第２方向外側の端部に接続されている。これにより、第２端子部８２と第４端子部８４との間に第２コンデンサ８６が接続される。
【００５１】
図１１に示すように、第１コンデンサ本体８５ａの上端は、上下方向において、第１端子部８１の上面とほぼ同じ位置に配置されている。図示は省略するが、第２コンデンサ本体８６ａの上端は、上下方向において、第２端子部８２の上面とほぼ同じ位置に配置されている。
【００５２】
図６に示すように、センサケース５１は、センサ収容部５１ａと、第１端子収容部５１ｂと、第２端子収容部５１ｃと、一対の固定部５１ｄと、を有する。センサ収容部５１ａは、センサ中心軸Ｊ２を中心とする略円筒状である。センサ収容部５１ａは、圧力センサ５３を収容する。より詳細には、図７に示すように、センサ収容部５１ａには、圧力センサ５３の一部が埋め込まれて保持されている。センサ収容部５１ａは、センサ収容部５１ａの中央を上下方向に貫通する収容部貫通孔５１ｆを有する。図８に示すように、収容部貫通孔５１ｆの上側から視た形状は、中心をセンサ中心軸Ｊ２が通る略正方形状である。収容部貫通孔５１ｆにおけるセンサ中心軸Ｊ２を中心とする径方向内側には、センサチップ本体５５ａが配置されている。
【００５３】
図７に示すように、センサ収容部５１ａの下部には、下側カバー５８が埋め込まれて保持されている。下側カバー５８の下面は、センサ収容部５１ａから露出している。下側カバー５８の上面は、収容部貫通孔５１ｆの下端を覆っている。センサ収容部５１ａの上部には、端子支持部５６が埋め込まれて保持されている。
【００５４】
下側カバー５８の上面と、センサ収容部５１ａの内側面と、端子支持部５６の内側面と、上側カバー５７の下面と、によって、センサチップ５５が収容された収容空間７２が構成されている。図示は省略するが、収容空間７２には、センサチップ５５を覆う封止材が配置されている。
【００５５】
図４および図５に示すように、第１端子収容部５１ｂは、センサ収容部５１ａから第１方向Ｄ１に延びている。第１端子収容部５１ｂは、第１方向Ｄ１に長い長方形箱状である。第１端子収容部５１ｂは、第１端子部８１、第３端子部８３および第１コンデンサ８５を収容する。
【００５６】
図６および図９に示すように、第１端子収容部５１ｂは、上側に開口する第１上側開口部７１ａと、下側に開口する第１下側開口部７１ｂと、を有する。第１上側開口部７１ａおよび第１下側開口部７１ｂの上下方向に視た形状は、第１方向Ｄ１に長い長方形状である。第１上側開口部７１ａと第１下側開口部７１ｂとは、上下方向に重なって配置されている。本実施形態において第１上側開口部７１ａと第１下側開口部７１ｂとは、互いに連通し、第１端子収容部５１ｂを上下方向に貫通する貫通孔を構成している。図１１に示すように、第１下側開口部７１ｂの下端から第１露出部８１ｆの下面８１ｃまでの上下方向の距離Ｈ２は、第１上側開口部７１ａの上端から第１露出部８１ｆの上面８１ｂまでの上下方向の距離Ｈ１よりも大きい。
【００５７】
図５および図１０に示すように、第１上側開口部７１ａおよび第１下側開口部７１ｂが設けられることで、第１端子部８１の一部および第３端子部８３の一部は、第１端子収容部５１ｂの外部に露出している。すなわち、第１端子部８１は、第１露出部８１ｆを有する。第３端子部８３は、第３露出部８３ｆを有する。第１露出部８１ｆは、図５に示すように第１上側開口部７１ａを介して上面が第１端子収容部５１ｂの外部に露出するとともに、図１０に示すように第１下側開口部７１ｂを介して下面が第１端子収容部５１ｂの外部に露出している。第３露出部８３ｆは、図５に示すように第１上側開口部７１ａを介して上面が第１端子収容部５１ｂの外部に露出するとともに、図１０に示すように第１下側開口部７１ｂを介して下面が第１端子収容部５１ｂの外部に露出している。
【００５８】
図４および図５に示すように、第２端子収容部５１ｃは、センサ収容部５１ａから第２方向Ｄ２に延びている。第２端子収容部５１ｃは、第２方向Ｄ２に長い長方形箱状である。第２端子収容部５１ｃは、第２端子部８２、第４端子部８４および第２コンデンサ８６を収容する。
【００５９】
図６および図９に示すように、第２端子収容部５１ｃは、上側に開口する第２上側開口部７２ａと、下側に開口する第２下側開口部７２ｂと、を有する。第２上側開口部７２ａおよび第２下側開口部７２ｂの上下方向に視た形状は、第２方向Ｄ２に長い長方形状である。第２上側開口部７２ａと第２下側開口部７２ｂとは、上下方向に重なって配置されている。本実施形態において第２上側開口部７２ａと第２下側開口部７２ｂとは、互いに連通し、第２端子収容部５１ｃを上下方向に貫通する貫通孔を構成している。図示は省略するが、第２下側開口部７２ｂの下端から第２露出部８２ｆの下面までの上下方向の距離は、第２上側開口部７２ａの上端から第２露出部８２ｆの上面までの上下方向の距離よりも大きい。
【００６０】
図５および図１０に示すように、第２上側開口部７２ａおよび第２下側開口部７２ｂが設けられることで、第２端子部８２の一部および第４端子部８４の一部は、第２端子収容部５１ｃの外部に露出している。すなわち、第２端子部８２は、第２露出部８２ｆを有する。第４端子部８４は、第４露出部８４ｆを有する。第２露出部８２ｆは、図５に示すように第２上側開口部７２ａを介して上面が第２端子収容部５１ｃの外部に露出するとともに、図１０に示すように第２下側開口部７２ｂを介して下面が第２端子収容部５１ｃの外部に露出している。第４露出部８４ｆは、図５に示すように第２上側開口部７２ａを介して上面が第２端子収容部５１ｃの外部に露出するとともに、図１０に示すように第２下側開口部７２ｂを介して下面が第２端子収容部５１ｃの外部に露出している。
【００６１】
本実施形態においては、第１上側開口部７１ａおよび第１下側開口部７１ｂは、それぞれ１つのみ設けられている。これにより、第１露出部８１ｆの上面および第３露出部８３ｆの上面は、１つの第１上側開口部７１ａを介して露出している。第１露出部８１ｆの下面および第３露出部８３ｆの下面は、１つの第１下側開口部７１ｂを介して露出している。そのため、第１上側開口部７１ａの大きさ、および第１下側開口部７１ｂの大きさを大きくしやすく、後述する抵抗溶接において電極ＥＰ１，ＥＰ２を各開口部に挿入しやすい。これにより、抵抗溶接を行いやすい。
【００６２】
本実施形態においては、第２上側開口部７２ａおよび第２下側開口部７２ｂは、それぞれ１つのみ設けられている。これにより、第２露出部８２ｆの上面および第４露出部８４ｆの上面は、１つの第２上側開口部７２ａを介して露出している。第２露出部８２ｆの下面および第４露出部８４ｆの下面は、１つの第２下側開口部７２ｂを介して露出している。そのため、第２上側開口部７２ａの大きさ、および第２下側開口部７２ｂの大きさを大きくしやすく、後述する抵抗溶接において電極ＥＰ１，ＥＰ２を各開口部に挿入しやすい。これにより、抵抗溶接を行いやすい。
【００６３】
図４に示すように、第１露出部８１ｆは、第１リード線６１が接合された第１リード線接合部８１ｄを有する。図１１に示すように、本実施形態において第１リード線接合部８１ｄは、第１露出部８１ｆの上面８１ｂに設けられている。図１０に示すように、第１露出部８１ｆは、第１コンデンサ８５が接合された第１コンデンサ接合部８１ｅを有する。第１コンデンサ接合部８１ｅには、一方の第１接続端子８５ｂが接合されている。図１１に示すように、本実施形態において第１コンデンサ接合部８１ｅは、第１露出部８１ｆの下面８１ｃに設けられている。すなわち、第１リード線接合部８１ｄは、第１露出部８１ｆの上面８１ｂと第１露出部８１ｆの下面８１ｃとのうちの一方に設けられ、第１コンデンサ接合部８１ｅは、第１露出部８１ｆの上面８１ｂと第１露出部８１ｆの下面８１ｃとのうちの他方に設けられている。第１コンデンサ接合部８１ｅは、第１方向Ｄ１において第１リード線接合部８１ｄと異なる位置に配置されている。第１リード線接合部８１ｄは、第１コンデンサ接合部８１ｅよりも第１方向Ｄ１の圧力センサ５３側、すなわち第１方向内側に配置されている。
【００６４】
図４に示すように、第２露出部８２ｆは、第２リード線６２が接合された第２リード線接合部８２ｄを有する。本実施形態において第２リード線接合部８２ｄは、第２露出部８２ｆの上面に設けられている。図１０に示すように、第２露出部８２ｆは、第２コンデンサ８６が接合された第２コンデンサ接合部８２ｅを有する。第２コンデンサ接合部８２ｅには、一方の第２接続端子８６ｂが接合されている。本実施形態において第２コンデンサ接合部８２ｅは、第２露出部８２ｆの下面に設けられている。図示は省略するが、第２コンデンサ接合部８２ｅは、第２方向Ｄ２において第２リード線接合部８２ｄと異なる位置に配置されている。第２リード線接合部８２ｄは、第２コンデンサ接合部８２ｅよりも第２方向Ｄ２の圧力センサ５３側、すなわち第２方向内側に配置されている。
【００６５】
図４に示すように、第３露出部８３ｆは、第３リード線６３が接合された第３リード線接合部８３ｄを有する。本実施形態において第３リード線接合部８３ｄは、第３露出部８３ｆの上面に設けられている。図１０に示すように、第３露出部８３ｆは、第１コンデンサ８５が接合された第３コンデンサ接合部８３ｅを有する。第３コンデンサ接合部８３ｅには、他方の第１接続端子８５ｂが接合されている。本実施形態において第３コンデンサ接合部８３ｅは、第３露出部８３ｆの下面に設けられている。図示は省略するが、第３リード線接合部８３ｄは、第３コンデンサ接合部８３ｅよりも第１方向Ｄ１の圧力センサ５３側、すなわち第１方向内側に配置されている。
【００６６】
第４露出部８４ｆは、第２コンデンサ８６が接合された第４コンデンサ接合部８４ｅを有する。第４コンデンサ接合部８４ｅには、他方の第２接続端子８６ｂが接合されている。
【００６７】
本実施形態において、各露出部に対する各リード線および各コンデンサの接合は、抵抗溶接によって行われる。すなわち、本実施形態において、各リード線接合部および各コンデンサ接合部は、抵抗溶接によって形成された部分である。抵抗溶接は、溶接する２つの金属部材を図１２および図１３に示す電極ＥＰ１，ＥＰ２で挟み込み、加圧力を加えつつ電極ＥＰ１，ＥＰ２に電流を流すことで、接触抵抗によって発生する熱で金属部材同士を溶融接着させる接合方法である。抵抗溶接によれば、簡便に２つの金属部材を接合できるため、圧力センサ装置５０の組み立てを容易にでき、圧力センサ装置５０の生産性を向上できる。
【００６８】
以下、各露出部に対するリード線および各コンデンサの接合方法について説明する。なお、各露出部に対する各リード線および各コンデンサの接合方法はそれぞれ同様であるため、以下の説明においては、代表して第１露出部８１ｆに対して第１リード線６１および第１コンデンサ８５を接合する場合についてのみ手順および作用効果を説明する場合がある。
【００６９】
まず、図１２に示すように、第１リード線６１を設置する前に、第１露出部８１ｆの下面８１ｃに第１コンデンサ８５の第１接続端子８５ｂを接触させて配置する。そして、電極ＥＰ１を第１上側開口部７１ａに挿入して第１露出部８１ｆの上面８１ｂに接触させるとともに、電極ＥＰ２を第１下側開口部７１ｂに挿入して第１接続端子８５ｂの下端に接触させる。電極ＥＰ１と電極ＥＰ２とは上下方向に重なる位置とする。この状態で、電極ＥＰ１と電極ＥＰ２とに電流を流すことで、第１露出部８１ｆと第１接続端子８５ｂとの接触部位に接触抵抗による熱が発生し、各接触部位同士が溶融接着される。これにより、図１３に示すように、第１コンデンサ接合部８１ｅが形成され、第１端子部８１と第１コンデンサ８５とが接合される。
【００７０】
次に、第１露出部８１ｆの上面８１ｂに第１接続金具６１ｂを重ねて配置する。そして、電極ＥＰ１を第１上側開口部７１ａに挿入して第１接続金具６１ｂの上面に接触させるとともに、電極ＥＰ２を第１下側開口部７１ｂに挿入して第１露出部８１ｆの下面８１ｃに接触させる。電極ＥＰ１と電極ＥＰ２とは上下方向に重なる位置とする。このとき、電極ＥＰ１，ＥＰ２の第１方向Ｄ１の位置は、第１コンデンサ接合部８１ｅよりも第１方向内側の位置とする。この状態で、電極ＥＰ１と電極ＥＰ２とに電流を流すことで、第１露出部８１ｆと第１接続金具６１ｂとの接触部位に接触抵抗による熱が発生し、各接触部位同士が溶融接着される。これにより、図１１に示す第１リード線接合部８１ｄが形成され、第１端子部８１と第１リード線６１とが接合される。
【００７１】
以上のようにして、第１露出部８１ｆに対して、第１リード線６１および第１コンデンサ８５が接合される。
【００７２】
本実施形態によれば、センサケース５１が第１端子収容部５１ｂと第２端子収容部５１ｃとを有することで、第１端子部８１と第２端子部８２とがセンサケース５１によって覆われる。そのため、圧力センサ装置５０を電動ポンプ１０内に配置した際に、電動ポンプ１０における圧力センサ装置５０が設置される部分と各端子部との絶縁をとることができる。例えば、本実施形態のように、圧力センサ装置５０がポンプボディ３１に配置される場合、ポンプボディ３１が金属製であると、各端子部とポンプボディ３１との絶縁をとる必要がある。本実施形態では、各端子部がセンサケース５１に収容されることで、別途絶縁処理を施すことなく、各端子部とポンプボディ３１との絶縁をとりつつ、圧力センサ装置５０をポンプボディ３１に設置できる。そのため、圧力センサ装置５０の設置を容易にでき、電動ポンプ１０の組み立てを容易にできる。図９および図１０に示すように、本実施形態では、センサケース５１の下面が、電動ポンプ１０の設置部と接触する設置面５０ａを有する。本実施形態において電動ポンプ１０の設置部とは、ポンプボディ３１におけるセンサ収容凹部３７の底面に相当する。すなわち、設置面５０ａは、センサ収容凹部３７の底面と接触する。
【００７３】
また、第１端子収容部５１ｂが第１上側開口部７１ａおよび第１下側開口部７１ｂを有し、第１端子部８１が第１上側開口部７１ａおよび第１下側開口部７１ｂを介して上下面が露出する第１露出部８１ｆを有している。そのため、第１端子部８１をセンサケース５１に収容した状態で、第１上側開口部７１ａと第１下側開口部７１ｂとのそれぞれから電極ＥＰ１，ＥＰ２を挿入して第１端子部８１と第１リード線６１とを抵抗溶接によって接合することができる。また、第２端子収容部５１ｃが第２上側開口部７２ａおよび第２下側開口部７２ｂを有し、第２端子部８２が第２上側開口部７２ａおよび第２下側開口部７２ｂを介して上下面が露出する第２露出部８２ｆを有している。そのため、第２端子部８２をセンサケース５１に収容した状態で、第２上側開口部７２ａと第２下側開口部７２ｂとのそれぞれから電極ＥＰ１，ＥＰ２を挿入して第２端子部８２と第２リード線６２とを抵抗溶接によって接合することができる。したがって、本実施形態によれば、センサケース５１によって第１端子部８１および第２端子部８２の絶縁を簡便にとることができるとともに、圧力センサ装置５０の組み立て効率を向上でき、圧力センサ装置５０の生産性を向上できる。
【００７４】
また、本実施形態では、第３端子部８３が第１上側開口部７１ａおよび第１下側開口部７１ｂを介して上下面が露出する第３露出部８３ｆを有しているため、第３端子部８３と第３リード線６３とを抵抗溶接によって接合することができる。これにより、圧力センサ装置５０の組み立て効率をより向上でき、圧力センサ装置５０の生産性をより向上できる。
【００７５】
また、例えば、重ね合わせた３つの金属部材を電極ＥＰ１，ＥＰ２で挟んで抵抗溶接によって接合しようとすると、重ね合わせた３つの金属部材の厚みおよび電気抵抗の違い等によって、上手く接合できない場合がある。具体的には、３つの金属部材のうちいずれか２つの金属部材同士のみが接合される場合、あるいは３つの金属部材がいずれも接合されない場合がある。
【００７６】
これに対して、本実施形態によれば、第１露出部８１ｆにおいて、第１リード線接合部８１ｄと第１コンデンサ接合部８１ｅとが、第１方向Ｄ１において異なる位置に配置されている。そのため、上述したように、第１露出部８１ｆと第１接続端子８５ｂとを重ねて抵抗溶接した後に、第１露出部８１ｆと第１接続金具６１ｂとを重ねて抵抗溶接することで、それぞれ２つの金属部材を重ねた状態で抵抗溶接ができる。これにより、抵抗溶接を用いて、第１露出部８１ｆに対して、第１コンデンサ８５と第１リード線６１との両方を好適に接合することができる。また、第３露出部８３ｆにおいて、第３リード線接合部８３ｄと第３コンデンサ接合部８３ｅとが、第１方向Ｄ１において異なる位置に配置されている。そのため、上述した第１露出部８１ｆの場合と同様に、抵抗溶接を用いて、第３露出部８３ｆに対して、第１コンデンサ８５と第３リード線６３との両方を好適に接合することができる。
【００７７】
また、本実施形態においては、第２露出部８２ｆにおいて、第２リード線接合部８２ｄと第２コンデンサ接合部８２ｅとが、第２方向Ｄ２において異なる位置に配置されている。そのため、上述した第１露出部８１ｆの場合と同様に、抵抗溶接を用いて、第２露出部８２ｆに対して、第２コンデンサ８６と第２リード線６２との両方を好適に接合することができる。
【００７８】
また、本実施形態によれば、第１リード線接合部８１ｄと第１コンデンサ接合部８１ｅとは、第１露出部８１ｆの上下面において、互いに反対側の面に設けられている。そのため、第１リード線６１と第１コンデンサ８５とを第１露出部８１ｆに順次接合する際に、接合される各部材同士が干渉しにくい。そのため、第１露出部８１ｆに対して、第１リード線６１と第１コンデンサ８５とをそれぞれ接合しやすい。
【００７９】
また、本実施形態によれば、第１リード線接合部８１ｄが第１コンデンサ接合部８１ｅよりも第１方向Ｄ１の圧力センサ５３側に配置されている。そのため、上述したように、第１コンデンサ８５を先に第１露出部８１ｆに接合した後に、第１リード線６１を第１露出部８１ｆに接合する接合方法を好適に行いやすく、第１露出部８１ｆに対して第１リード線６１および第１コンデンサ８５を好適に接合しやすい。
【００８０】
また、本実施形態によれば、第１露出部８１ｆの上面８１ｂに第１リード線接合部８１ｄが設けられている。そのため、設置面５０ａをポンプボディ３１と接触させて圧力センサ装置５０を設置した際に、第１リード線６１を設置面５０ａが設けられる側と逆側、すなわち上側から引き出すことができる。これにより、第１露出部８１ｆに接合された第１リード線６１を引き回しやすい。
【００８１】
また、抵抗溶接を行う際においては、溶接される金属部材の溶融物の一部が、周囲に飛散する場合がある。例えば、飛散した溶融物が設置面５０ａに付着すると、圧力センサ装置５０を設置する前に、設置面５０ａから付着した溶融物を除去する必要があり、手間が掛かる。これに対して、本実施形態によれば、第１下側開口部７１ｂの下端から第１露出部８１ｆの下面８１ｃまでの上下方向の距離Ｈ２は、第１上側開口部７１ａの上端から第１露出部８１ｆの上面８１ｂまでの上下方向の距離Ｈ１よりも大きい。そのため、第１上側開口部７１ａおよび第１下側開口部７１ｂによって構成される第１端子収容部５１ｂの内部の空間のうち、第１露出部８１ｆの下側に配置される部分の上下方向の寸法を大きくできる。これにより、抵抗溶接を行う際に、第１露出部８１ｆの一部あるいは第１接続端子８５ｂの一部が溶融して飛散しても、溶融物が第１露出部８１ｆの下側に配置される空間を構成する内側面に付着し、設置面５０ａまで到達しにくい。したがって、設置面５０ａに溶融物が付着することを抑制でき、圧力センサ装置５０を設置する際の手間を低減できる。
【００８２】
図４および図５に示すように、第１端子収容部５１ｂは、第１コンデンサ８５を保持する第１コンデンサ保持部５２ａを有する。そのため、第１コンデンサ８５を第１露出部８１ｆおよび第３露出部８３ｆに接合する際、第１コンデンサ８５の位置を固定することができる。これにより、第１コンデンサ８５を第１露出部８１ｆおよび第３露出部８３ｆに接合しやすい。
【００８３】
第１コンデンサ保持部５２ａは、第１端子収容部５１ｂにおける第１方向外側の端部である。図５、図６および図１１に示すように、第１コンデンサ保持部５２ａは、一対の側壁部５２ｃと、底壁部５２ｄと、天壁部５２ｅと、突出部５２ｆと、を有する。一対の側壁部５２ｃは、上下方向に沿って立ち上がり、第１方向Ｄ１に沿って延びる壁である。一対の側壁部５２ｃは、第１コンデンサ８５の第３方向Ｄ３の両側に第１コンデンサ８５を挟んで対向して配置されている。図５に示すように、一対の側壁部５２ｃは、それぞれ他方の側壁部５２ｃに向かって突出するコンデンサ保持凸部５２ｇを有する。コンデンサ保持凸部５２ｇの先端は、第１コンデンサ本体８５ａにおける第３方向Ｄ３の側面に接触する。すなわち、第１コンデンサ本体８５ａは、第３方向Ｄ３の両側をコンデンサ保持凸部５２ｇに接触した状態で挟まれている。これにより、第１コンデンサ本体８５ａが、第３方向Ｄ３に移動することを抑制できる。
【００８４】
図６に示すように、底壁部５２ｄは、一対の側壁部５２ｃの下端における第１方向外側の端部同士を繋いでいる。図１１に示すように、底壁部５２ｄの上面は、第１コンデンサ本体８５ａの下面と接触する。第１コンデンサ本体８５ａは、底壁部５２ｄによって下側から支持されている。図６に示すように、天壁部５２ｅは、一対の側壁部５２ｃの上端同士を繋いでいる。天壁部５２ｅは、一対の側壁部５２ｃの第１方向外側の端部よりも第１方向内側に離れた位置に配置されている。図５に示すように、天壁部５２ｅの第１方向内側には、第１上側開口部７１ａが設けられている。図１１に示すように、天壁部５２ｅは、底壁部５２ｄよりも第１方向内側に配置されている。これにより、底壁部５２ｄが設けられた部分において、第１コンデンサ保持部５２ａは、上側に開口している。天壁部５２ｅの下面は、第１コンデンサ本体８５ａの上面のうち第１方向内側の部分と接触している。このように、第１コンデンサ本体８５ａは、底壁部５２ｄと天壁部５２ｅとによって上下方向に挟まれている。これにより、第１コンデンサ本体８５ａが、上下方向に移動することを抑制できる。
【００８５】
突出部５２ｆは、天壁部５２ｅの下面のうち第１方向内側の端部から下側に突出している。突出部５２ｆの第１方向外側の端部には、第１方向外側から第１コンデンサ本体８５ａの第１方向内側の端部が突き当てられている。これにより、第１コンデンサ本体８５ａが第１方向Ｄ１に位置決めされている。
【００８６】
図４および図５に示すように、第２端子収容部５１ｃは、第２コンデンサ８６を保持する第２コンデンサ保持部５２ｂを有する。そのため、第２コンデンサ８６を第２露出部８２ｆおよび第４露出部８４ｆに接合する際、第２コンデンサ８６の位置を固定することができる。これにより、第２コンデンサ８６を第２露出部８２ｆおよび第４露出部８４ｆに接合しやすい。第２コンデンサ保持部５２ｂは、第２端子収容部５１ｃにおける第２方向外側の端部である。第２コンデンサ保持部５２ｂのその他の構成は、第１コンデンサ保持部５２ａと同様である。
【００８７】
一対の固定部５１ｄは、センサ収容部５１ａから水平方向ＨＤの両側に突出している。一対の固定部５１ｄには、それぞれ固定部５１ｄを上下方向に貫通する円形状の固定孔５１ｅが設けられている。図８に示すように、固定孔５１ｅの内部には、円筒部材５９が固定されている。図６に示すように、円筒部材５９は、上下方向両端に開口する円筒状である。図２および図３に示すように、圧力センサ装置５０をポンプボディ３１に固定するネジ７０は、上側から円筒部材５９の内部に通されて、雌ネジ穴３７ａに締め込まれている。
【００８８】
図４および図５に示すように、センサケース５１は、第１方向Ｄ１の圧力センサ５３側、すなわち第１方向内側に窪む第１凹部５１ｇを有する。第１凹部５１ｇは、第１上側開口部７１ａの内側面に設けられている。第１凹部５１ｇは、上側に開口している。図４および図５では、第１凹部５１ｇは、第３方向Ｄ３に並んで２つ設けられている。第１凹部５１ｇの一方には、第１接続金具６１ｂの第１凸部６１ｃが挿入されている。第１凹部５１ｇの他方には、第３接続金具６３ｂの第３凸部６３ｃが挿入されている。そのため、第１接続金具６１ｂおよび第３接続金具６３ｂを位置決めできる。これにより、第１リード線６１を第１露出部８１ｆに接合する際、および第３リード線６３を第３露出部８３ｆに接合する際に、第１リード線６１の位置および第３リード線６３の位置がずれることを抑制できる。したがって、第１リード線６１を第１露出部８１ｆに接合しやすく、第３リード線６３を第３露出部８３ｆに接合しやすい。
【００８９】
センサケース５１は、第２方向Ｄ２の圧力センサ５３側、すなわち第２方向内側に窪む第２凹部５１ｈを有する。第２凹部５１ｈは、第２上側開口部７２ａの内側面に設けられている。第２凹部５１ｈは、上側に開口している。図４および図５では、第２凹部５１ｈは、１つのみ設けられている。第２凹部５１ｈには、第２接続金具６２ｂの第２凸部６２ｃが挿入されている。そのため、第２接続金具６２ｂを位置決めできる。これにより、第２リード線６２を第２露出部８２ｆに接合する際、第２リード線６２の位置がずれることを抑制できる。したがって、第２リード線６２を第２露出部８２ｆに接合しやすい。
【００９０】
図６に示すように、センサケース５１は、第１ガイド凸部５１ｉと、一対の第２ガイド凸部５１ｊと、を有する。第１ガイド凸部５１ｉおよび一対の第２ガイド凸部５１ｊは、第１端子収容部５１ｂおよび第２端子収容部５１ｃのそれぞれに設けられている。第１端子収容部５１ｂに設けられた各ガイド凸部と、第２端子収容部５１ｃに設けられた各ガイド凸部とは、設けられる収容部が異なる点を除いて同様である。そのため、以下の説明においては、代表して第１端子収容部５１ｂに設けられた第１ガイド凸部５１ｉおよび第２ガイド凸部５１ｊについて説明する。
【００９１】
第１ガイド凸部５１ｉは、天壁部５２ｅから上側に突出する。第１ガイド凸部５１ｉは、天壁部５２ｅの第３方向Ｄ３の中央に配置されている。第１ガイド凸部５１ｉは、第１方向Ｄ１に延びている。一対の第２ガイド凸部５１ｊは、一対の側壁部５２ｃから上側に突出している。第２ガイド凸部５１ｊは、第１方向Ｄ１に延びている。第１ガイド凸部５１ｉは、一対の第２ガイド凸部５１ｊの第３方向Ｄ３の間に配置されている。図示は省略するが、第１ガイド凸部５１ｉと一方の第２ガイド凸部５１ｊとの間には、第１リード線６１の一部が配置されている。第１ガイド凸部５１ｉと他方の第２ガイド凸部５１ｊとの間には、第３リード線６３の一部が配置されている。そのため、第１リード線６１および第３リード線６３が第３方向Ｄ３に動くことが抑制される。これにより、第１リード線６１および第３リード線６３をそれぞれ各露出部に対して接合しやすい。また、第１ガイド凸部５１ｉによって、第１リード線６１と第３リード線６３との間の絶縁をとることができる。なお、図４においては、第１ガイド凸部５１ｉおよび第２ガイド凸部５１ｊの図示を省略している。
【００９２】
図７に示す圧力センサ装置５０がポンプボディ３１に固定された状態において、検出孔５８ａには、検出油路９３からセンサ収容凹部３７に流入したオイルが流入する。より詳細には、検出孔５８ａには、検出油路９３から下側カバー５８の下側凹部５８ｂ内に流入したオイルが流入する。検出孔５８ａの上端はセンサチップ５５によって閉塞されているため、検出孔５８ａに流入したオイルは、センサチップ５５と接触する。これにより、センサチップ５５は、検出孔５８ａから流入したオイルの圧力を検出する。このようにして、圧力センサ装置５０を用いて、電動ポンプ１０内のオイルの圧力を計測できる。
【００９３】
本実施形態では、下側凹部５８ｂ内には、下側カバー５８とポンプボディ３１との間をシールするＯリング７１が配置されているため、下側凹部５８ｂ内に流入したオイルがセンサ収容凹部３７の外部に漏れることを抑制できる。また、収容空間７２には、センサチップ５５を覆う図示しない封止材が配置されているため、センサチップ５５およびチップ端子５５ｂなどの金属部が酸化（腐食）してしまうことを抑制できる。
【００９４】
なお、センサチップ５５は、例えば、ダイヤフラム等を介して、間接的にオイルの圧力を検出してもよい。この場合、検出孔５８ａの上端部はダイヤフラムによって閉塞され、センサチップ５５は、ダイヤフラムに上側から接触して配置される。これにより、センサチップ５５は、ダイヤフラムを介して、検出孔５８ａに流入したオイルの圧力を検出できる。
【００９５】
また、第１方向Ｄ１と第２方向Ｄ２との成す角θは、鋭角であってもよいし、直角であってもよいし、二直角であってもよい。また、第１方向Ｄ１と第２方向Ｄ２とは、水平方向ＨＤと平行な方向であってもよい。
【００９６】
また、第１上側開口部７１ａと第１下側開口部７１ｂとは、連通していなくてもよい。第２上側開口部７２ａと第２下側開口部７２ｂとは、連通していなくてもよい。また、端子部の数は、２つであってもよいし、３つであってもよい。また、第１コンデンサ８５および第２コンデンサ８６は、設けられていなくてもよい。
【００９７】
なお、本発明の圧力センサ装置は、流体を送る電動ポンプであれば、上述した実施形態のオイルを加圧して送る電動ポンプ１０に限られず、いかなる電動ポンプにも適用できる。
【００９８】
また、上記の各構成は、相互に矛盾しない範囲内において、適宜組み合わせることができる。
【符号の説明】
【００９９】
１０…電動ポンプ、２０…モータ部、２１…シャフト、３０…ポンプ部、５０…圧力センサ装置、５０ａ…設置面、５１…センサケース、５１ａ…センサ収容部、５１ｂ…第１端子収容部、５１ｃ…第２端子収容部、５１ｇ…第１凹部、５２ａ…第１コンデンサ保持部、５３…圧力センサ、６１…第１リード線、６１ａ…第１リード線本体、６１ｂ…第１接続金具、６１ｃ…第１凸部、６２…第２リード線、６３…第３リード線、７１ａ…第１上側開口部、７１ｂ…第１下側開口部、７２ａ…第２上側開口部、７２ｂ…第２下側開口部、８１…第１端子部、８１ｄ…第１リード線接合部、８１ｅ…第１コンデンサ接合部、８１ｆ…第１露出部、８２…第２端子部、８２ｄ…第２リード線接合部、８２ｅ…第２コンデンサ接合部、８２ｆ…第２露出部、８３…第３端子部、８３ｄ…第３リード線接合部、８３ｅ…第３コンデンサ接合部、８３ｆ…第３露出部、８４…第４端子部、８４ｅ…第４コンデンサ接合部、８４ｆ…第４露出部、８５…第１コンデンサ、８６…第２コンデンサ、Ｄ１…第１方向、Ｄ２…第２方向、ＨＤ…水平方向、Ｊ１…中心軸
【図１】
2018017588.tif 000003
【図２】
2018017588.tif 000004
【図３】
2018017588.tif 000005
【図４】
2018017588.tif 000006
【図５】
2018017588.tif 000007
【図６】
2018017588.tif 000008
【図７】
2018017588.tif 000009
【図８】
2018017588.tif 000010
【図９】
2018017588.tif 000011
【図１０】
2018017588.tif 000012
【図１１】
2018017588.tif 000013
【図１２】
2018017588.tif 000014
【図１３】
2018017588.tif 000015